(57)【要約】  本発明は、外部機器に給電可能な本体に太陽電池モジュールを容易に接続し、かつ、太陽電池モジュールと本体との間の接続の信頼性を高めることを目的とする。本発明によれば、第１の接続手段１２を有する光電変換モジュール群１０と、第１の接続手段１２と機械的かつ電気的に接続可能な第２の接続手段２１を有する本体部２０とを備え、第１の接続手段１２は、第１の接続部１２１と第１のコネクタ１２２とを有し、第２の接続手段２１は、第１の接続部１２１と摺接して係合する第２の接続部２１１と、第１の接続部１２１が所定の位置にある状態で第１のコネクタ１２２と接続する第２のコネクタ２１２とを有し、第１の接続部１２１および第２の接続部２１１のうち、一方は、ガイドレール２１１であり、他方は、ガイドレール２１１と摺接して係合するガイド１２１である光電変換装置が得られる。
2016152086.tif 000002
【特許請求の範囲】
【請求項１】
第１の接続手段を有する光電変換モジュール群と、
前記第１の接続手段と機械的かつ電気的に接続可能な第２の接続手段を有する本体部とを備え、
前記第１の接続手段は、第１の接続部と第１のコネクタとを有し、
前記第２の接続手段は、前記第１の接続部と摺接して係合する第２の接続部と、前記第１の接続部が所定の位置にある状態で前記第１のコネクタと接続する第２のコネクタとを有し、
前記第１の接続部および前記第２の接続部のうち、一方は、ガイドレールであり、他方は、前記ガイドレールと摺接して係合するガイドであることを特徴とする光電変換装置。
【請求項２】
請求項１に記載の光電変換装置において、前記第１の接続部と前記第１のコネクタとは、結合して一体的に構成されていることを特徴とする光電変換装置。
【請求項３】
請求項１または２に記載の光電変換装置において、前記第２の接続部と前記第２のコネクタとは、結合して一体的に構成されていることを特徴とする光電変換装置。
【請求項４】
請求項１から３のいずれか一項に記載の光電変換装置において、前記光電変換モジュール群は、縦列に接続された複数の光電変換モジュールを備えることを特徴とする光電変換装置。
【請求項５】
請求項１から４のいずれか一項に記載の光電変換装置において、
前記第１の接続部がガイドであり、前記第２の接続部がガイドレールである場合、
前記第１の接続部の先端部に前記第１のコネクタが設けられ、前記第２の接続部の最奥部に前記第２のコネクタが設けられ、
前記第１の接続部がガイドレールであり、前記第２の接続部がガイドである場合、
前記第１の接続部の最奥部に前記第１のコネクタが設けられ、前記第２の接続部の先端部に前記第２のコネクタが設けられることを特徴とする光電変換装置。
【請求項６】
請求項１から５のいずれか一項に記載の光電変換装置において、
前記第１の接続手段は、複数の前記第１の接続部と、複数の前記第１のコネクタとを有し、
前記第２の接続手段は、複数の前記第２の接続部と、複数の前記第２のコネクタとを有することを特徴とする光電変換装置。
【請求項７】
請求項１から６のいずれか一項に記載の光電変換装置において、前記ガイドの断面形状が上下非対称であることを特徴とする光電変換装置。
【請求項８】
請求項１から７のいずれか一項に記載の光電変換装置において、前記ガイドレールの片側の側面にガイド溝が設けられていることを特徴とする光電変換装置。
【請求項９】
請求項１から８のいずれか一項に記載の光電変換装置において、
前記第１の接続部がガイドであり、前記第２の接続部がガイドレールであり、
前記本体部に、前記第１の接続部を固定するための固定用補強部材が設けられていることを特徴とする光電変換装置。
【請求項１０】
請求項９に記載の光電変換装置において、前記固定用補強部材と前記第１の接続部との接触部により、該固定用補強部材と該第１の接続部とが電気的に接続することを特徴とする光電変換装置。
【請求項１１】
請求項１から４のいずれか一項に記載の光電変換装置において、前記第１の接続手段と前記第２の接続手段とが機械的かつ電気的に接続した状態で該第１の接続手段および該第２の接続手段をロックするロック機構を、前記第１のコネクタに設けることを特徴とする光電変換装置。
【請求項１２】
請求項１から１１のいずれか一項に記載の光電変換装置において、前記光電変換装置を吊り下げて支持する支持手段をさらに備えることを特徴とする光電変換装置。
【請求項１３】
請求項１から１２のいずれか一項に記載の光電変換装置において、前記第１のコネクタおよび前記第２のコネクタは、少なくとも１つの電極端子を有することを特徴とする光電変換装置。
【請求項１４】
請求項１から１３のいずれか一項に記載の光電変換装置において、前記光電変換モジュール群は、有機系太陽電池モジュールである光電変換モジュールを備えることを特徴とする光電変換装置。
【請求項１５】
請求項１から１３のいずれか一項に記載の光電変換装置において、前記光電変換装置は、有機系太陽電池発電装置であることを特徴とする光電変換装置。
【請求項１６】
請求項１から１３のいずれか一項に記載の光電変換装置において、前記光電変換モジュール群は、無機系太陽電池モジュールである光電変換モジュールを備えることを特徴とする光電変換装置。
【請求項１７】
請求項１から１３のいずれか一項に記載の光電変換装置において、前記光電変換装置は、無機系太陽電池発電装置であることを特徴とする光電変換装置。
【請求項１８】
請求項１から１７のいずれか一項に記載の光電変換装置において、前記光電変換モジュール群は、少なくとも電極の一つがプラスチック材料を基盤とした太陽電池モジュールである光電変換モジュールを備えることを特徴とする光電変換装置。
【発明の詳細な説明】
【技術分野】
【０００１】
本発明は、光電変換装置に関する。
【背景技術】
【０００２】
近年、商用電源を得られない外出先などでも、利用者が、スマートフォン、ノートＰＣ（Ｐｅｒｓｏｎａｌ  Ｃｏｍｐｕｔｅｒ）、タブレットＰＣなどの携帯機器を利用できるように、携帯可能な発電装置の需要が高まっている。【０００３】
例えば、特許文献１には、運搬可能な発電装置として、複数の太陽電池セルを含む折り曲げ可能なシート状の太陽電池が開示されている。このシート状の太陽電池には一対のリード線が接続しており、リード線の先端に設けられた端子を給電部に差し込むことにより、給電部から電気機器に電力を供給することができる。
【先行技術文献】
【特許文献】
【０００４】
【特許文献１】特開平９−５１１１８号公報
【発明の概要】
【発明が解決しようとする課題】
【０００５】
しかしながら、特許文献１に記載の構成では、一対のリード線の先端に設けられた端子をそれぞれ給電部に差し込む必要があるため、端子を差し込む動作を２回する必要がある。このため１回の動作でシート状の太陽電池を給電部に接続することができず、利便性に欠ける面があった。【０００６】
また、特許文献１に記載の構成は、リード線に設けられた端子を給電部に差し込む構成であるため、リード線に対して引っ張る力が加えられた場合にリード線が給電部から抜けやすく、シート状の太陽電池と給電部との間の接続の信頼性に欠ける面があった。【０００７】
かかる点に鑑みてなされた本発明の目的は、外部機器に給電可能な本体に太陽電池モジュールを容易に接続することができ、かつ、太陽電池モジュールと本体との間の接続の信頼性を高めることができる光電変換装置を提供することにある。【０００８】
さらに本発明は、本発明者らが別途出願している特願２０１５−０５９７５２における、第１及び第２の接続手段の一形態に適合するものであり、上述特許文献１や先行技術文献等には全く示唆がない「互換性確保」という技術的思想に基づくものである。本発明による効果は、別途出願している特願２０１５−０５９７５２での効果をも享受でき、当該別出願にも貢献するという側面を有する。
【課題を解決するための手段】
【０００９】
この発明は、上記課題を有利に解決することを目的としたものであり、本発明の光電変換装置は、第１の接続手段を有する光電変換モジュール群と、前記第１の接続手段と機械的かつ電気的に接続可能な第２の接続手段を有する本体部とを備え、前記第１の接続手段は、第１の接続部と第１のコネクタとを有し、前記第２の接続手段は、前記第１の接続部と摺接して係合する第２の接続部と、前記第１の接続部が所定の位置にある状態で前記第１のコネクタと接続する第２のコネクタとを有し、前記第１の接続部および前記第２の接続部のうち、一方は、ガイドレールであり、他方は、前記ガイドレールと摺接して係合するガイドであることを特徴とするものである。そのため、本発明の光電変換装置は、第１の接続部と第２の接続部とを摺接して係合させるという簡易な操作で、光電変換モジュール群を、機械的かつ電気的に本体部に容易に接続することができる。また、第１の接続部と第２の接続部とを摺接して係合させるため、光電変換モジュール群と本体部との間の接続の信頼性を高めることができる【００１０】
また、本発明の光電変換装置において、前記第１の接続部と前記第１のコネクタとは、結合して一体的に構成されていることが好ましい。この構成により、第１の接続手段の構成をシンプルな構成にすることができる。【００１１】
また、本発明の光電変換装置において、前記第２の接続部と前記第２のコネクタとは、結合して一体的に構成されていることが好ましい。この構成により、第２の接続手段の構成をシンプルな構成にすることができる。【００１２】
また、本発明の光電変換装置において、前記光電変換モジュール群は、縦列に接続された複数の光電変換モジュールを備えることが好ましい。この構成により、より多くの電力供給を受けることができる。【００１３】
また、本発明の光電変換装置において、前記第１の接続部がガイドであり、前記第２の接続部がガイドレールである場合、前記第１の接続部の先端部に前記第１のコネクタが設けられ、前記第２の接続部の最奥部に前記第２のコネクタが設けられ、前記第１の接続部がガイドレールであり、前記第２の接続部がガイドである場合、前記第１の接続部の最奥部に前記第１のコネクタが設けられ、前記第２の接続部の先端部に前記第２のコネクタが設けられることが好ましい。この構成により、ガイドをガイドレールの最奥部まで差し込むことで、光電変換モジュール群と本体部とを、機械的かつ電気的に容易に接続することができる。【００１４】
また、本発明の光電変換装置において、前記第１の接続手段は、複数の前記第１の接続部と、複数の前記第１のコネクタとを有し、前記第２の接続手段は、複数の前記第２の接続部と、複数の前記第２のコネクタとを有する構成とすることができる。【００１５】
また、本発明の光電変換装置において、前記ガイドの断面形状が上下非対称であることが好ましい。この構成により、ガイドをガイドレールに逆差しすることを防ぐことができる。【００１６】
また、本発明の光電変換装置において、前記ガイドレールの片側の側面にガイド溝が設けられていることが好ましい。この構成により、ガイドレールの高さ方向の厚みを小さくすることができる。【００１７】
また、本発明の光電変換装置において、前記第１の接続部がガイドであり、前記第２の接続部がガイドレールであり、前記本体部に、前記第１の接続部を固定するための固定用補強部材が設けられていることが好ましい。この構成により、光電変換モジュール群を本体部に装着後、光電変換モジュール群をより安定して保持することができる。【００１８】
また、本発明の光電変換装置において、前記固定用補強部材と前記第１の接続部との接触部により、該固定用補強部材と該第１の接続部とが電気的に接続することが好ましい。この構成により、固定用補強部材によって光電変換モジュール群を安定して機械的に保持すると同時に、光電変換モジュール群と本体部とを電気的に接続することができる。【００１９】
また、本発明の光電変換装置において、前記第１の接続手段と前記第２の接続手段とが機械的かつ電気的に接続した状態で該第１の接続手段および該第２の接続手段をロックするロック機構を、前記第１のコネクタに設けることが好ましい。この構成により、コネクタの抜けを防止することができる。【００２０】
また、本発明の光電変換装置において、前記光電変換装置を吊り下げて支持する支持手段をさらに備えることが好ましい。この構成により、光電変換モジュール群を机の上などに平面的に広げて設置することが必須でなくなるので、設置時の省スペース化を図ることができる。【００２１】
また、本発明の光電変換装置において、前記第１のコネクタおよび前記第２のコネクタは、少なくとも１つの電極端子を有する構成とすることができる。この構成により、第１のコネクタおよび第２のコネクタとして様々な形状を選択することができる。【００２２】
また、本発明の光電変換装置において、前記光電変換モジュール群は、有機系太陽電池モジュールである光電変換モジュールを備えることが好ましい。これにより、光電変換装置を軽量化することができ、携帯性を高めることができる。【００２３】
また、本発明の光電変換装置において、前記光電変換装置は、有機系太陽電池発電装置であることが好ましい。これにより、光電変換装置を軽量化することができ、携帯性を高めることができる。【００２４】
また、本発明の光電変換装置において、前記光電変換モジュール群は、無機系太陽電池モジュールである光電変換モジュールを備えることができる。【００２５】
また、本発明の光電変換装置において、前記光電変換装置は、無機系太陽電池発電装置とすることができる。【００２６】
また、本発明の光電変換装置において、前記光電変換モジュール群は、少なくとも電極の一つがプラスチック材料を基盤とした太陽電池モジュールである光電変換モジュールを備える構成とすることができる。
【発明の効果】
【００２７】
本発明に係る光電変換装置によれば、外部機器に給電可能な本体に太陽電池モジュールを容易に接続することができ、かつ、太陽電池モジュールと本体との間の接続の信頼性を高めることができる。
【図面の簡単な説明】
【００２８】
【図１】本発明の一実施形態に係る光電変換装置の構成を示すブロック図である。
【図２】図１に示す太陽電池モジュール群の構成を示すブロック図である。
【図３】本発明の第１実施形態に係る光電変換装置の構成を示す図である。
【図４】本発明の第１実施形態に係る光電変換装置の本体部に太陽電池モジュール群を装着する様子を示す図である。
【図５】本発明の第１実施形態に係る光電変換装置の本体部に複数の太陽電池モジュールを有する太陽電池モジュール群が接続されている様子を示す図である。
【図６】光電変換装置の充電池を充電する動作の一例を示すフローチャートである。
【図７】光電変換装置から外部機器へ放電する動作の一例を示すフローチャートである。
【図８】変形例１に係る光電変換装置の構成を示す図である。
【図９】変形例１に係る光電変換装置において本体部に太陽電池モジュール群を装着する様子を示す図である。
【図１０】変形例１に係る光電変換装置において本体部に複数の太陽電池モジュールを有する太陽電池モジュール群が接続されている様子を示す図である。
【図１１】変形例２に係る光電変換装置の構成を示す図である。
【図１２】変形例２に係る光電変換装置において本体部に太陽電池モジュール群を装着する様子を示す図である。
【図１３】変形例２に係る光電変換装置において本体部に複数の太陽電池モジュールを有する太陽電池モジュール群が接続されている様子を示す図である。
【図１４】変形例３に係る光電変換装置の構成を示す図である。
【図１５】変形例４に係る光電変換装置の構成を示す図である。
【図１６】変形例５に係る光電変換装置の構成を示す図である。
【図１７】変形例６に係る光電変換装置の構成を示す図である。
【図１８】変形例７に係る光電変換装置の構成を示す図である。
【図１９】変形例８に係る光電変換装置の構成を示す図である。
【図２０】光電変換装置の利用例１を示す図である。
【図２１】光電変換装置の利用例１を示す図である。
【図２２】光電変換装置の利用例２を示す図である。
【発明を実施するための形態】
【００２９】
以下、本発明の実施の形態について説明する。
【００３０】
図１は、本発明の一実施形態に係る光電変換装置１の構成を示すブロック図である。
【００３１】
本実施形態に係る光電変換装置１は、太陽電池モジュール群（１又は複数の光電変換モジュール群）１０と、本体部２０とを備える。光電変換装置１は、太陽電池モジュールを備えた太陽電池モジュール群１０が本体部２０に装着され、本体部２０は太陽電池モジュール群１０（太陽電池モジュール）から電力供給を受ける。そして、本体部２０は、供給された電力を、自装置内で蓄積したり、所定のインタフェース、例えば、ＵＳＢ（Ｕｎｉｖｅｒｓａｌ  Ｓｅｒｉａｌ  Ｂｕｓ）インタフェースを介して、スマートフォンやタブレットＰＣなどの外部機器に供給したりする。なお、光電変換装置１は、商用電源からＡＣアダプター３０を介して電力供給を受けることもできる。ＡＣアダプター３０は、コンセント３１とＡＣ／ＤＣ変換器３２とを備えている。商用電源からコンセント３１を介して交流電圧がＡＣ／ＤＣ変換器３２に入力され、ＡＣ／ＤＣ変換器３２は、入力された交流電圧を直流電圧に変換して、本体部２０に供給する。
【００３２】
太陽電池モジュール群１０は、太陽電池モジュール１１と、太陽電池モジュールインタフェース（ＩＦ）１２とを有する。
【００３３】
太陽電池モジュール１１は、太陽光、室内光などの入射光を光電変換して電力を出力する太陽電池を備えた光電変換モジュールである。
【００３４】
太陽電池の種類としては大別して、無機系材料を用いた無機系と、有機系材料を用いた有機系とがある。無機系の太陽電池としては、Ｓｉを用いたＳｉ系、化合物を用いた化合物系などがある。また、有機系の太陽電池としては、有機顔料を用いた低分子蒸着系、導電性高分子を用いた高分子塗布系、変換型半導体を用いた塗布変換系などの薄膜系、チタニア、有機色素および電解質から成る色素増感系などがある。また、太陽電池としては、有機無機ハイブリッド太陽電池、ペロブスカイト系化合物を用いた太陽電池などもある。本発明においては、上述した各種の太陽電池を用いることができる。ただし、一般に、有機系の太陽電池は、薄型かつフレキシブルな構成とすることができ、本発明に用いるのに好適である。
【００３５】
太陽電池モジュール１１は、少なくとも電極の一つを、プラスチック材料を基盤としたものとしてもよい。
【００３６】
太陽電池モジュールＩＦ（第１の接続手段）１２は、太陽電池モジュール群１０を本体部２０に装着して、機械的かつ電気的に接続するためのインタフェースである。太陽電池モジュールＩＦ１２の詳細については後述する。
【００３７】
本体部２０は、インタフェース２１と、昇圧回路部２２と、太陽電池電圧検出部２３と、ＡＣアダプター電圧検出部２４と、充電池２５と、外部インタフェース（ＩＦ）２６と、充放電制御回路２７と、コントローラ２８とを備える。
【００３８】
インタフェース（第２の接続手段）２１は、太陽電池モジュール群１０を本体部２０に装着して、機械的かつ電気的に接続（連結）させる。インタフェース２１は、装着された太陽電池モジュール群１０（太陽電池モジュール１１）から、太陽電池モジュールＩＦ１２を介して供給された電圧を昇圧回路部２２に供給する。インタフェース２１の詳細については後述する。
【００３９】
昇圧回路部２２は、太陽電池モジュール群１０からインタフェース２１を介して供給された電圧を充電池２５の充電に必要な所定電圧に昇圧して、充放電制御回路２７に出力する。
【００４０】
太陽電池電圧検出部２３は、本体部２０に装着された太陽電池モジュール群１０（太陽電池モジュール１１）からインタフェース２１を介して昇圧回路部２２に供給される電圧（太陽電池電圧）を検出し、検出結果をコントローラ２８に出力する。
【００４１】
ＡＣアダプター電圧検出部２４は、ＡＣアダプター３０から充放電制御回路２７に供給される電圧（ＡＣアダプター電圧）を検出し、検出結果をコントローラ２８に出力する。
【００４２】
充電池２５は、鉛蓄電池、リチウムイオン二次電池などの充放電が可能な電池である。
【００４３】
外部ＩＦ２６は、例えば、ＵＳＢインタフェースなどであり、光電変換装置１を外部機器と接続するためのインタフェースである。
【００４４】
充放電制御回路２７は、昇圧回路部２２と、ＡＣアダプター３０と、充電池２５と、外部ＩＦ２６を介して接続された外部機器との間で充放電制御を行う。
【００４５】
コントローラ２８は、本体部２０の各部の動作を制御する。例えば、コントローラ２８は、太陽電池電圧検出部２３の検出結果、ＡＣアダプター電圧検出部２４の検出結果、充電池２５の充電量に基づき、充放電制御回路２７を制御して、充放電のためのパスを制御する。また、コントローラ２８は、例えば、昇圧回路部２２による昇圧動作を制御する。
【００４６】
次に、太陽電池モジュール群１０の構成について、図２に示すブロック図を参照して、より詳細に説明する。
【００４７】
図２に示す太陽電池モジュール群１０は、太陽電池モジュールセット１３と、太陽電池モジュールＩＦ１２とを備える。
【００４８】
太陽電池モジュールセット１３は、少なくとも１つの太陽電池モジュール１１を備える。太陽電池モジュールセット１３が複数の太陽電池モジュール１１を備える場合には、各太陽電池モジュール１１は、所定の間隔を開けて配列され、隣り合う太陽電池モジュール１１と縦列に接続されている。そして、複数の太陽電池モジュール１１の１つ（図２の例では、太陽電池モジュール１１の縦列体の一端に位置する太陽電池モジュール１１）が、太陽電池モジュールＩＦ１２に接続される。太陽電池モジュール群１０が本体部２０のインタフェース２１に装着された状態では、太陽電池モジュールセット１３を構成する各太陽電池モジュール１１の出力電圧の合計が、太陽電池モジュールＩＦ１２を介して、本体部２０に供給される。本体部２０は、装着された太陽電池モジュール群１０から電力供給を受けることができる。
【００４９】
なお、太陽電池モジュール群１０が複数の太陽電池モジュール１１を有する場合、各太陽電池モジュール１１の電極は、例えば、フレキシブル基板で接続される。こうすることで、隣り合う太陽電池モジュール１１の間の部分で太陽電池モジュール群１０を折り畳むことができる。そのため、使用時には、太陽電池モジュール群１０を広げ、非使用時には、太陽電池モジュール群１０を折り畳むことで、収納、運搬が容易となる。
【００５０】
図３は、本発明の第１実施形態に係る光電変換装置１の構成を示す図である。
【００５１】
図３に示す例においては、光電変換装置１の本体部２０の裏側の面に２つのインタフェース２１が設けられている。そして、太陽電池モジュール群１０の表側の面に２つの太陽電池モジュールＩＦ１２が設けられている。太陽電池モジュールＩＦ１２の形状は、インタフェース２１に対応する形状である。太陽電池モジュール群１０を、太陽電池モジュールＩＦ１２によって本体部２０のインタフェース２１に接続することにより、太陽電池モジュール群１０を、本体部２０に機械的かつ電気的に接続し、太陽電池モジュール１１の発電電力を本体部２０に供給することができる。
【００５２】
続いて、太陽電池モジュールＩＦ１２の構成の詳細について説明する。
【００５３】
太陽電池モジュールＩＦ１２は、ガイド１２１（第１の接続部）と、コネクタ１２２（第１のコネクタ）とを備える。図３に示すように、ガイド１２１とコネクタ１２２とは結合して一体的に構成されている。また、ガイド１２１およびコネクタ１２２は、太陽電池モジュール群１０の形状には制約されず、独立した形状として所望の形状にすることができる。
【００５４】
ガイド１２１は、所定の形状を有する部材であり、図３に示す例においては、ガイド１２１は柱状の形状である。
【００５５】
コネクタ１２２は、ガイド１２１の先端部（図３においては、ガイド１２１の紙面奥方向の一端）に取り付けられている。ガイド１２１とコネクタ１２２とは一体的に（ガイド１２１とコネクタ１２２とが結合して）設けられている。コネクタ１２２は、太陽電池モジュール群１０の太陽電池モジュールセット１３内の１つの太陽電池モジュール１１の電極と電気的に接続されている。コネクタ１２２は、例えば、ピンコネクタのオス構成である。
【００５６】
続いて、インタフェース２１の構成について説明する。
【００５７】
インタフェース２１には、太陽電池モジュールＩＦ１２を介して太陽電池モジュール群１０を接続することができる。
【００５８】
インタフェース２１は、ガイドレール２１１（第２の接続部）と、コネクタ２１２（第２のコネクタ）とを備える。図３に示すように、ガイドレール２１１とコネクタ２１２とは結合して一体的に構成されている。また、ガイドレール２１１およびコネクタ２１２は、本体部２０の形状には制約されず、独立した形状として所望の形状にすることができる。
【００５９】
ガイドレール２１１は、太陽電池モジュールＩＦ１２のガイド１２１に対応する形状を有する部材である。ガイドレール２１１は、その中空部分に太陽電池モジュールＩＦ１２のガイド１２１を挿入することができ、ガイド１２１と摺接して（スライドするように接して）係合することができる。図３の例では、ガイドレール２１１の紙面手前側から奥部に向かって、ガイド１２１が挿入される。
【００６０】
コネクタ２１２は、ガイド１２１がガイドレール２１１と係合した所定の位置にある状態で、太陽電池モジュールＩＦ１２のコネクタ１２２と接続する位置に設けられている。ここで、「所定の位置」とは、例えば、ガイドレール２１１とコネクタ２１２が予め定められた位置関係を有し、この位置関係に対応したガイド１２１とコネクタ１２２の位置をいうものとする。例えば、図３に示す例においては、ガイド１２１がガイドレール２１１の奥まで押し込まれた状態における位置であり、この位置において、コネクタ１２２がコネクタ２１２と接続する。ガイドレール２１１とコネクタ２１２とは一体的に（ガイド２１１とコネクタ２１２とが結合して）設けられており、図３に示す例では、コネクタ２１２はガイドレール２１１の最奥部に設けられている。コネクタ２１２は、例えば、ピンコネクタのメス構成である。
【００６１】
図３に示したように、太陽電池モジュールＩＦ１２のコネクタ１２２は、ガイド１２１の先端部に設けられている。この場合、インタフェース２１のコネクタ２１２は、例えば、ガイドレール２１１の奥部近傍に設けられ、ガイド１２１がガイドレール２１１の奥まで挿入されると、コネクタ１２２とコネクタ２１２とが接続される。
【００６２】
ガイド１２１とガイドレール２１１とが係合することで、太陽電池モジュール群１０と本体部２０とが機械的に接続される。また、ガイド１２１とガイドレール２１１との係合に応じて、コネクタ１２２とコネクタ２１２とが接続されることで、太陽電池モジュール群１０と本体部２０とが電気的に接続される。このように本実施形態においては、太陽電池モジュールＩＦ１２のガイド１２１をインタフェース２１のガイドレール２１１にスライドさせるという簡易な操作で、接続するコネクタ１２２をコネクタ２１２に誘導することにより、太陽電池モジュール群１０と本体部２０とを機械的かつ電気的に接続することができる。
【００６３】
図４に、本発明の第１実施形態に係る太陽電池モジュール群１０を本体部２０に装着する様子を示す。図４（ａ）は、ガイド１２１をガイドレール２１１に沿って摺接させる直前の様子を示す。図４（ｂ）は、ガイド１２１がガイドレール２１１に沿って所定の位置（最奥部）まで押し込まれ、コネクタ１２２とコネクタ２１２が接続され、太陽電池モジュール群１０の本体部２０への装着が完了した様子を示す。
【００６４】
図４に示すように、２つのガイド１２１は、それぞれ対応する２つのガイドレール２１１に同時に差し込まれ、２つのガイド１２１が最奥部まで押し込まれると、コネクタ１２２とコネクタ２１２が接続する。
【００６５】
このように、太陽電池モジュール群１０は、本体部２０にワンタッチ（１回の動作）で接続可能であり、また、太陽電池モジュール群１０を本体部２０から引き抜くことによりワンタッチで非接続状態とすることができる。すなわち、上記構成を有することにより、太陽電池モジュール群１０は、本体部２０と容易に脱着可能である。
【００６６】
また、上記構成によれば、ガイド１２１をガイドレール２１１の最奥部まで押し込むことにより、コネクタ１２２がコネクタ２１２と接続する。すなわち、太陽電池モジュール群１０が本体部２０に機械的に接続されると同時に電気的にも接続される。
【００６７】
また、図４に示すように、ガイド１２１をガイドレール２１１に差し込む方向は、図４（ａ）において、方向Ｘとして示す方向である。このような構成となっていることにより、例えば、本体部２０を吊り下げるような状態で使用し、ガイド１２１およびガイドレール２１１に太陽電池モジュール群１０の自重がかかっても、太陽電池モジュール群１０は本体部２０から容易には抜けない。
【００６８】
図５は、本発明の第１実施形態に係る太陽電池モジュール群１０が複数の太陽電池モジュール１１を有する場合に、太陽電池モジュール群１０が本体部２０に接続されている様子を示す図である。
【００６９】
図５に示すように、太陽電池モジュール群１０が複数の太陽電池モジュール１１を有する場合であっても、ワンタッチで、太陽電池モジュール群１０を本体部２０に脱着可能である。また、このように複数の太陽電池モジュール１１を有する太陽電池モジュール群１０を、本体部２０に装着することにより、本体部２０は太陽電池モジュール群１０からより多くの電力供給を受けることができる。
【００７０】
なお、太陽電池モジュールＩＦ１２およびインタフェース２１の形状は図３に示した形状に限られるものではなく、種々の形状とすることができる。要は、ガイド１２１とガイドレール２１１とが摺接して係合することができれば、太陽電池モジュールＩＦ１２およびインタフェース２１の形状は任意の形状とすることができる。後述する変形例１〜８において、太陽電池モジュールＩＦ１２およびインタフェース２１の形状の他の例を示す。
【００７１】
また、本実施形態においては、太陽電池モジュールＩＦ１２にガイド１２１が設けられ、インタフェース２１にガイドレール２１１が設けられる例を用いて説明したが、これに限られるものではない。太陽電池モジュールＩＦ１２にガイドレールが設けられ、インタフェース２１にガイドが設けられる構成であってもよい。これは、後述する変形例１〜８においても同様である。
【００７２】
また、本実施形態においては、太陽電池モジュール群１０の表側の面に２つの太陽電池モジュールＩＦ１２が設置され、本体部２０の裏側の面に２つのインタフェース２１が設置される例を用いて説明したが、太陽電池モジュールＩＦ１２およびインタフェース２１の設置数や設置場所はこれに限られるものではない。太陽電池モジュールＩＦ１２を太陽電池モジュール群１０の表側と裏側のどちらの面に設置するか、および、インタフェース２１を本体部２０の表側と裏側のどちらの面に設置するかは、ガイド１２１およびガイドレール２１１の形状に応じて、適宜選択可能である。これは、後述する変形例１〜８においても同様である。
【００７３】
また、ガイド１２１およびガイドレール２１１の配置数、大きさ、幅、配置場所なども、ガイドとガイドレールとが摺接して係合することができれば、太陽電池モジュール群１０や本体部２０の形状に制約を受けずに任意とすることができる。これにより、目的に応じて適切なガイド１２１およびガイドレール２１１の形状や配置場所を、高い自由度で選択することができ、例えば、小型化や薄型化に対応できるように選択することもできる。後述する変形例１〜８においていくつかの例を示す。
【００７４】
また、コネクタ１２２およびコネクタ２１２の配置数、配置場所なども、ガイド１２１とガイドレール２１１とが係合した状態で、コネクタ１２２とコネクタ２１２とが接続可能であれば、任意とすることができる。また、コネクタ１２２とコネクタ２１２とを接続する電極端子（ピン）の電極端子数も任意の数とすることができる。
【００７５】
また、本実施形態においては、コネクタ１２２がピンコネクタのオス構成であり、コネクタ２１２がピンコネクタのメス構成である例を用いて説明したが、これに限られるものではない。コネクタ１２２がピンコネクタのメス構成であり、コネクタ２１２がピンコネクタのオス構成であってもよい。
【００７６】
次に、本実施形態に係る光電変換装置１の動作について説明する。
【００７７】
本実施形態に係る光電変換装置１は、外部ＩＦ２６に接続された外部機器からの要求を受けて、外部ＩＦ２６を介して、外部機器に電力を供給する。ここで、外部機器への電力の供給元としては、本体部２０に装着された太陽電池モジュール群１０、ＡＣアダプター３０および本体部２０の充電池２５の３つがある。光電変換装置１は、これらの中から、外部機器への電力の供給元を適宜選択して、外部ＩＦ２６に接続された外部機器に電力を供給する。
【００７８】
また、本実施形態に係る光電変換装置１は、本体部２０に装着された太陽電池モジュール群１０あるいはＡＣアダプター３０を電力の供給元として、充電池２５を充電する。光電変換装置１は、これらの中から、充電池２５への電力の供給元を適宜選択して、充電池２５を充電する。
【００７９】
以下では、充電池２５の充電時および外部機器への放電時の光電変換装置１の動作について説明する。まず、充電池２５の充電時の動作について説明する。
【００８０】
図６は、充電池２５の充電時の光電変換装置１の動作を示すフローチャートである。
【００８１】
コントローラ２８は、ＡＣアダプター電圧検出部２４の出力から、ＡＣアダプター電圧が検出されたか否かを判定する（ステップＳ１０１）。
【００８２】
ＡＣアダプター電圧が検出されたと判定した場合には（ステップＳ１０１：Ｙｅｓ）、コントローラ２８は、充電池２５が満充電であるか否かを判定する（ステップＳ１０２）。
【００８３】
充電池２５が満充電でないと判定した場合には（ステップＳ１０２：Ｎｏ）、コントローラ２８は、充放電制御回路２７を制御して、ＡＣアダプター３０から充電池２５に充電するパスを設定する（ステップＳ１０３）。充放電制御回路２７は、設定されたパスに従い、充電池２５の充電制御を行う（ステップＳ１０４）。なお、充電池２５の充電制御の方法は、当業者によく知られており、また、本発明と直接関係しないので、説明を省略する。
【００８４】
充電池２５が満充電であると判定した場合には（ステップＳ１０２：Ｙｅｓ）、コントローラ２８は、充放電制御回路２７を制御して、充電池２５を充電するパスをオフにする（ステップＳ１０５）。
【００８５】
ＡＣアダプター電圧が検出されていないと判定した場合には（ステップＳ１０１：Ｎｏ）、コントローラ２８は、太陽電池電圧検出部２３の出力から、太陽電池電圧が検出されたか否かを判定する（ステップＳ１０６）。
【００８６】
太陽電池電圧が検出されたと判定した場合には（ステップＳ１０６：Ｙｅｓ）、コントローラ２８は、充電池２５が満充電であるか否かを判定する（ステップＳ１０７）。
【００８７】
充電池２５が満充電でないと判定した場合には（ステップＳ１０７：Ｎｏ）、コントローラ２８は、昇圧回路部２２に、インタフェース２１を介して太陽電池モジュール群１０から供給された電圧を昇圧させる（ステップＳ１０８）。また、コントローラ２８は、充放電制御回路２７を制御して、太陽電池モジュール群１０から充電池２５に充電するパスを設定する（ステップＳ１０９）。充放電制御回路２７は、設定されたパスに従い、充電池２５の充電制御を行う（ステップＳ１１０）。
【００８８】
充電池２５が満充電であると判定した場合には（ステップＳ１０７：Ｙｅｓ）、コントローラ２８は、充放電制御回路２７を制御して、充電池２５を充電するパスをオフにする（ステップＳ１１１）。
【００８９】
ステップＳ１０４あるいはステップＳ１１０における充電制御により充電池２５が満充電となった後、ステップＳ１０５あるいはステップＳ１１１の処理により充電池２５を充電するパスをオフにした後、または、太陽電池電圧を検出していないと判定した場合には（ステップＳ１０６：Ｎｏ）、コントローラ２８は、充電動作を終了し、図７に示す放電動作に進む。
【００９０】
図７は、外部機器への放電時の光電変換装置１の動作を示すフローチャートである。
【００９１】
まず、コントローラ２８は、外部ＩＦ２６を介した外部機器からの電力供給の要求があるか否かを判定する（ステップＳ２０１）。
【００９２】
外部ＩＦ２６を介した外部機器からの電力供給の要求があると判定した場合には（ステップＳ２０１：Ｙｅｓ）、コントローラ２８は、太陽電池電圧検出部２３の出力から、太陽電池電圧が検出されたか否かを判定する（ステップＳ２０２）。
【００９３】
太陽電池電圧が検出されたと判定した場合には（ステップＳ２０２：Ｙｅｓ）、コントローラ２８は、昇圧回路部２２に、インタフェース２１を介して太陽電池モジュール群１０から供給された電圧を昇圧させる（ステップＳ２０３）。また、コントローラ２８は、充放電制御回路２７を制御して、太陽電池モジュール群１０から外部ＩＦ２６に放電するパスを設定する（ステップＳ２０４）。充放電制御回路２７は、設定されたパスに従い、太陽電池モジュール群１０から外部ＩＦ２６への放電制御を行う（ステップＳ２０５）。これにより、外部ＩＦ２６を介して、太陽電池モジュール群１０から外部機器への電力供給が行われる。なお、外部ＩＦ２６への放電制御の方法は、当業者によく知られており、また、本発明と直接関係しないので、説明を省略する。
【００９４】
太陽電池電圧が検出されていないと判定した場合には（ステップＳ２０２：Ｎｏ）、コントローラ２８は、ＡＣアダプター電圧検出部２４の出力から、ＡＣアダプター電圧が検出されたか否かを判定する（ステップＳ２０６）。
【００９５】
ＡＣアダプター電圧が検出されたと判定した場合には（ステップＳ２０６：Ｙｅｓ）、コントローラ２８は、充放電制御回路２７を制御して、ＡＣアダプター３０から外部ＩＦ２６に放電するパスを設定する（ステップＳ２０７）。充放電制御回路２７は、設定されたパスに従い、ＡＣアダプター３０から外部ＩＦ２６への放電制御を行う（ステップＳ２０８）。これにより、外部ＩＦ２６を介して、ＡＣアダプター３０から外部機器への電力供給が行われる。
【００９６】
ＡＣアダプター電圧が検出されていないと判定した場合には（ステップＳ２０６：Ｎｏ）、コントローラ２８は、充電池２５の充電量がＥｍｐｔｙ（空）相当であるか否かを判定する（ステップＳ２０９）。
【００９７】
充電池２５の充電量がＥｍｐｔｙ相当でないと判定した場合には（ステップＳ２０９：Ｎｏ）、コントローラ２８は、充放電制御回路２７を制御して、充電池２５から外部ＩＦ２６に放電するパスを設定する（ステップＳ２１０）。充放電制御回路２７は、設定されたパスに従い、充電池２５から外部ＩＦ２６への放電制御を行う（ステップＳ２１１）。これにより、外部ＩＦ２６を介して、充電池２５から外部機器への電力供給が行われる。
【００９８】
ステップＳ２０５、ステップＳ２０８またはステップＳ２１１における充放電制御回路２７による放電制御の終了後、コントローラ２８は、ステップＳ２０１に戻り、引き続き、電力供給の要求があるか否かを判定する。
【００９９】
外部機器からの電力供給の要求がないと判定した場合（ステップＳ２０１：Ｎｏ）、あるいは、充電池２５の充電量がＥｍｐｔｙ相当であると判定した場合には（ステップＳ２０９：Ｙｅｓ）、コントローラ２８は、放電動作を終了し（ステップＳ２１２）、図６に示す充電動作に戻る。
【０１００】
（変形例１）
図８は、変形例１に係る光電変換装置１ａの構成を示す図である。
【０１０１】
変形例１に係る光電変換装置１ａは、本体部２０に設けられているインタフェース２１ａの個数が１つであり、また、太陽電池モジュール群１０に設けられている太陽電池モジュールＩＦ１２ａの個数が１つである点で、図３に示した第１実施形態に係る光電変換装置１の構成と相違する。
【０１０２】
また、変形例１に係る太陽電池モジュールＩＦ１２ａは、第１実施形態に係る光電変換装置１の太陽電池モジュールＩＦ１２よりも長く、太陽電池モジュールＩＦ１２ａの長さは、太陽電池モジュール群１０において太陽電池モジュールＩＦ１２ａが設けられている辺の長さに近い長さである。
【０１０３】
変形例１に係る光電変換装置１ａは、上記構成を有することにより、ガイド１２１ａをガイドレール２１１ａに摺接させる方向が重力の方向に対して垂直になるように光電変換装置１ａをぶら下げた場合に、インタフェース２１ａおよび太陽電池モジュールＩＦ１２ａの機械的強度を高めることができるという効果を有する。
【０１０４】
図９に、本発明の変形例１に係る太陽電池モジュール群１０を本体部２０に装着する様子を示す。図９（ａ）は、ガイド１２１ａをガイドレール２１１ａに沿って摺接させている様子を示す。図９（ｂ）は、ガイド１２１ａがガイドレール２１１ａに沿って所定の位置（最奥部）まで押し込まれ、コネクタ１２２ａとコネクタ２１２ａが接続され、太陽電池モジュール群１０の本体部２０への装着が完了した様子を示す。
【０１０５】
図１０は、本発明の変形例１に係る太陽電池モジュール群１０が複数の太陽電池モジュール１１を有する場合に、太陽電池モジュール群１０が本体部２０に接続されている様子を示す図である。
【０１０６】
なお、インタフェース２１および太陽電池モジュールＩＦ１２の個数が１つであることは、変形例２〜８においても共通する構成上の特徴であり、また、太陽電池モジュールＩＦ１２の長さが長いことは、変形例２〜７においても共通する構成上の特徴である。変形例２〜８の説明においては、これらの特徴に関する説明は省略する。
【０１０７】
（変形例２）
図１１は、変形例２に係る光電変換装置１ｂの構成を示す図である。
【０１０８】
変形例２に係るインタフェース２１ｂは、本体部２０の表側の面や裏側の面ではなく、本体部２０の側部に設けられている。また、太陽電池モジュールＩＦ１２も、太陽電池モジュール群１０の表側の面や裏側の面ではなく、太陽電池モジュール群１０の側部に設けられている。
【０１０９】
この構成により、変形例２に係る光電変換装置１ｂは、本体部２０と同じ高さに太陽電池モジュール群１０を装着することができるという効果を有する。
【０１１０】
図１２に、本発明の変形例２に係る太陽電池モジュール群１０を本体部２０に装着する様子を示す。図１２（ａ）は、ガイド１２１ｂをガイドレール２１１ｂに沿って摺接させている様子を示す。図１２（ｂ）は、ガイド１２１ｂがガイドレール２１１ｂに沿って所定の位置（最奥部）まで押し込まれ、コネクタ１２２ｂとコネクタ２１２ｂが接続され、太陽電池モジュール群１０の本体部２０への装着が完了した様子を示す。
【０１１１】
図１３は、本発明の変形例２に係る太陽電池モジュール群１０が複数の太陽電池モジュール１１を有する場合に、太陽電池モジュール群１０が本体部２０に接続されている様子を示す図である。
【０１１２】
（変形例３）
図１４は、変形例３に係る光電変換装置１ｃの構成を示す図である。
【０１１３】
変形例３は、本体ＩＦ２１ｃにおいて、コネクタ２１２ｃの形状がガイドレール２１１ｃの内径より大きい場合の例である。
【０１１４】
この場合、太陽電池モジュールＩＦ１２ｃのコネクタ１２２ｃを、図１４に示すように、ガイド１２１ｃから分離させた構成としてもよい。
【０１１５】
図１４のような構成とすることにより、変形例３に係る光電変換装置１ｃは、ガイドレール２１１ｃの形状の制約を受けずに、ガイドレール２１１ｃの内径より大きいコネクタ２１２ｃを設けることができる。
【０１１６】
（変形例４）
図１５は、変形例４に係る光電変換装置１ｄの構成を示す図である。
【０１１７】
図１５（ａ）に示す例においては、ガイド１２１ｄの断面の形状は、上辺が長く下辺が短い逆台形の形状である。また、図１５（ｂ）に示す例においては、ガイド１２１ｄの断面の形状は、半円の形状である。図１５（ａ）および（ｂ）のいずれの構成においても、ガイドレール２１１ｄは、ガイド１２１ｄに対応した形状である。
【０１１８】
このように、ガイド１２１ｄの断面の形状を上下非対称の構成とすることにより、太陽電池モジュール群１０の表裏を逆にして本体部２０に差してしまうこと（いわゆる「逆差し」）を防ぐことができる。
【０１１９】
また、図１５に示す例においては、ガイドレール２１１ｄとコネクタ２１２ｄとが一体的に構成されていない例を示している。これは、ガイドレール２１１とコネクタ２１２とが一体的に設けられている第１実施形態の構成とは異なる構成であるが、図１５の構成は一例として示したものであり、図１５に示した構成においても、ガイドレール２１１ｄとコネクタ２１２ｄとを一体とする構成としてもよい。また、図３に示す第１実施形態においても、ガイドレール２１１とコネクタ２１２とを分離する構成としてもよい。これは、他の変形例についても同様である。
【０１２０】
（変形例５）
図１６は、変形例５に係る光電変換装置１ｅの構成を示す図である。
【０１２１】
図１６に示す例においては、ガイド１２１ｅの断面は半円形の形状である。また、ガイドレール２１１ｅは、ガイド１２１ｅに対応した形状であり、側面にガイド溝が設けられている。
【０１２２】
このような構成とすることにより、ガイドレール２１１ｅの高さ方向の厚みを薄くすることができ、これにより、本体部２０を薄型構成とする場合に有利となる。
【０１２３】
（変形例６）
図１７は、変形例６に係る光電変換装置１ｆの構成を示す図である。
【０１２４】
図１７に示す例においては、本体部２０にガイド１２１ｆを固定するための固定用補強部材２２０が設けられている。固定用補強部材２２０は、固定用補強部材２２０を本体部２０に設置する支持部２２１と、ガイド１２１ｆを押さえて固定する固定部２２２と、支持部２２１と固定部２２２とを機械的に接続し固定部２２２を回転可能とする軸部２２３と、固定部２２２の先端部に設けられた係止部２２４とを備える。固定用補強部材２２０は、太陽電池モジュール群１０を本体部２０に装着した状態で、太陽電池モジュール群１０上に設けられた係止受部１３０に係止部２２４を係止させることにより、ガイド１２１ｆを固定部２２２によって押さえて固定する。
【０１２５】
このような構成とすることにより、太陽電池モジュール群１０を本体部２０に装着した後に、太陽電池モジュール群１０をより安定して保持することが可能となる。
【０１２６】
固定用補強部材２２０の設置場所は、ガイドレール２１１ｆの途中の位置であって、ガイド１２１ｆを固定するために適当な位置とすればよい。
【０１２７】
また、図１７においては、１つの固定用補強部材２２０が設置されている構成の例を示したが、複数の固定用補強部材２２０を本体部２０に設置する構成としてもよい。固定用補強部材２２０の個数を複数とすれば、より安定してガイド１２１ｆを保持することができる。
【０１２８】
（変形例７）
図１８は、変形例７に係る光電変換装置１ｇの構成を示す図である。
【０１２９】
変形例７は、図１７に示した変形例６において、固定用補強部材２２０が、ガイド１２１ｇの固定と、ガイド１２１ｇと本体部２０との電気的接続を兼ねるようにした構成である。
【０１３０】
図１８に示す例においては、固定部２２２の内側に電気的接続部２４０が設けられ、また、ガイド１２１ｇの固定用補強部材２２０により固定される部分において、ガイド１２１ｇ上に電気的接続部１４０が設けられている。これにより、固定用補強部材２２０によってガイド１２１ｇを固定すると、電気的接続部２４０と電気的接続部１４０との接触部によって、ガイド１２１ｇ（太陽電池モジュール群１０）と本体部２０とが電気的に接続される。
【０１３１】
このような構成とすることにより、ガイドレール２１１ｇの終端にコネクタを設けることが不要となる。また、固定用補強部材２２０によってガイド１２１ｇを安定して保持すると同時に、ガイド１２１ｇと本体部２０とを電気的に接続することができる。
【０１３２】
なお、図１８に示す構成の場合、位置決め部２３０によって、太陽電池モジュール群１０を本体部２０に装着する際のガイド１２１ｇの位置を決めてもよい。
【０１３３】
（変形例８）
図１９は、変形例８に係る光電変換装置１ｈの構成を示す図である。
【０１３４】
変形例８は、ガイド１２１ｈをコネクタ１２２ｈの形状に合わせて小型化し、また、ガイドレール２１１ｈをコネクタ２１２ｈの形状に合わせて小型化した構成である。また、コネクタ１２２ｈの側部にはプッシュ型のロック機構１５０が設けられ、コネクタ２１２ｈの側部には、ロック機構１５０を嵌合させる孔部２５０が形成されている。孔部２５０は、コネクタ１２２ｈがコネクタ２１２ｈに差し込まれた際に、ロック機構１５０が位置する場所に設けられている。
【０１３５】
このように、コネクタ１２２ｈおよびコネクタ２１２ｈに、それぞれ、ガイド１２１ｈおよびガイドレール２１１ｈを設けることにより、コネクタ１２２ｈをガイドレール２１１ｈによる挿入経路によって誘導可能となるため、小型コネクタであってもミスなく簡単に挿入することが可能となる。また、この構成は、コネクタ１２２ｈおよびコネクタ２１２ｈの変形防止、破壊防止、利便性向上等を可能とするものである。
【０１３６】
また、図１９に示すような、ロック機構１５０および孔部２５０を有することにより、コネクタ１２２ｈのコネクタ２１２ｈからの抜けを防止することができる。
【０１３７】
続いて、光電変換装置１の利用例について説明する。
【０１３８】
（利用例１）
例えば、利用者の在宅時には、図２０に示すように、光電変換装置１は、インタフェース２１に太陽電池モジュール群１０が装着された状態で、支持材３０１を介して、窓３０２の近傍に設置される。太陽電池モジュール群１０を、例えば、机の上などに平面的に広げて使用する場合、太陽電池モジュール群１０が場所をとり、使い勝手が悪い。そこで、図２０に示すように、光電変換装置１（太陽電池モジュール群１０）を吊り下げて支持することで、設置時の省スペース化を図ることができる。
【０１３９】
そして、利用者の外出時には、必要に応じて、窓近傍に設置された複数の太陽電池モジュール群１０の一部を利用者が携帯し、使用時には図２１に示すように、太陽電池モジュール群１０をインタフェース２１に装着して使用するといった使用例が考えられる。
【０１４０】
なお、光電変換装置１は、図２１に示すように、光電変換装置１を支持する支持部３０３（支持手段）を有していてもよい。
【０１４１】
光電変換装置１に支持部３０３が設けられることで、利用者の外出時などでも、光電変換装置１（太陽電池モジュール群１０）を吊り下げた状態で支持することが可能となる。
【０１４２】
また、このように、太陽電池モジュール群１０を本体部２０から脱着して用いることが可能であることにより、太陽電池モジュール群１０の光電変換効率向上品ができた場合、以下のような効果がある。
【０１４３】
例えば、太陽電池モジュール群１０の光電変換効率が従来のものと比べて２倍となった場合、太陽電池モジュール１１の個数が従来の半分の太陽電池モジュール群１０を本体部２０に装着しても、従来と同等の電力を本体部２０に供給することができる。また、太陽電池モジュール群１０の光電変換効率が従来のものと比べて２倍となった場合、太陽電池モジュール１１の個数が従来と同じ太陽電池モジュール群１０を本体部２０に装着すれば、従来の２倍の電力を本体部２０に供給することができる。
【０１４４】
（利用例２）
光電変換装置１は、図２２に示すように、インタフェース２１に装着された太陽電池モジュール群１０が吊り下げられた状態で、光電変換装置１を支持するハンガー状の吊下部材３０５を備えていてもよい。
【０１４５】
図２０に示すように、光電変換装置１を窓３０２の近傍に設置された支持材３０１により支持する場合、光電変換装置１の設置位置は窓３０２の近傍に限定されてしまう。一方、図２２に示すように、光電変換装置１を支持する吊下部材３０５を設けることで、利用者は、より自由に光電変換装置１を設置することができる。
【０１４６】
上述したように、本実施形態においては、光電変換装置１のインタフェース２１への太陽電池モジュール群１０の脱着が容易である。そのため、太陽電池モジュールＩＦ１２とインタフェース２１との間の互換性が確保されていれば、様々な種類の太陽電池モジュール群１０（例えば、製造メーカが異なる、供給可能な電力が異なる、太陽電池モジュール１１の種類が異なるなど）を互換的に接続することができ、利便性の向上を図ることができる。また、利用者の外出先に、光電変換装置１の本体部２０に相当する構成が設けられている場合には、利用者が必要な太陽電池モジュール群１０だけを携帯すればよく、利便性の向上を図ることができる。
【０１４７】
本発明を図面および実施形態に基づき説明してきたが、当業者であれば本開示に基づき種々の変形または修正を行うことが容易であることに注意されたい。したがって、これらの変形または修正は本発明の範囲に含まれることに留意されたい。例えば、各ブロックなどに含まれる機能などは論理的に矛盾しないように再配置可能であり、複数のブロックを１つに組み合わせたり、或いは分割したりすることが可能である。
【産業上の利用可能性】
【０１４８】
本発明によれば、外部機器に給電可能な本体に太陽電池モジュールを容易に接続し、かつ、太陽電池モジュールと本体との間の接続の信頼性を高めることができる。
【符号の説明】
【０１４９】
１    光電変換装置
１０    太陽電池モジュール群
１１    太陽電池モジュール
１２    太陽電池モジュールインタフェース
１３    太陽電池モジュールセット
２０    本体部
２１    インタフェース
２２    昇圧回路部
２３    太陽電池電圧検出部
２４    ＡＣアダプター電圧検出部
２５    充電池
２６    外部インタフェース
２７    充放電制御回路
２８    コントローラ
３０    ＡＣアダプター
３１    コンセント
３２    ＡＣ／ＤＣ変換器
１２１    ガイド
１２２    コネクタ
１３０    係止受部
１４０    コネクタ
１５０    ロック機構
２１１    ガイドレール
２１２    コネクタ
２２０    固定用補強部材
２２１    支持部
２２２    固定部
２２３    軸部
２２４    係止部
２３０    位置決め部
２４０    コネクタ
２５０    孔部
３０１    支持材
３０２    窓
３０３    支持部
３０５    吊下部材
【図１】
2016152086.tif 000003
【図２】
2016152086.tif 000004
【図３】
2016152086.tif 000005
【図４】
2016152086.tif 000006
【図５】
2016152086.tif 000007
【図６】
2016152086.tif 000008
【図７】
2016152086.tif 000009
【図８】
2016152086.tif 000010
【図９】
2016152086.tif 000011
【図１０】
2016152086.tif 000012
【図１１】
2016152086.tif 000013
【図１２】
2016152086.tif 000014
【図１３】
2016152086.tif 000015
【図１４】
2016152086.tif 000016
【図１５】
2016152086.tif 000017
【図１６】
2016152086.tif 000018
【図１７】
2016152086.tif 000019
【図１８】
2016152086.tif 000020
【図１９】
2016152086.tif 000021
【図２０】
2016152086.tif 000022
【図２１】
2016152086.tif 000023
【図２２】
2016152086.tif 000024
【国際調査報告】
2016152086.tif 000025
2016152086.tif 000026
2016152086.tif 000027
2016152086.tif 000028